(57)【要約】【課題】ユーザーを検知することを契機として光源を点灯させて装置の利用に備えることができながらも、ユーザーが眩しい思いをすることを極力防止可能な画像形成装置を提供する。【解決手段】人感センサーによってユーザーを検知したときに（Ｓ５０にてＹＥＳ）、原稿カバーの開閉角度が所定角度以下であれば（Ｓ５２にてＹＥＳ）、ランプを点灯させ（Ｓ５３）、原稿を読み取るための初期化処理を開始する。【選択図】図４
2020005055.tif 000002
【特許請求の範囲】
【請求項１】
原稿に光を照射するための光源と、
前記光源の点灯を制御する制御手段と、
原稿を載置するための載置面に対して開閉自在に設けられる開閉部材と、
人を検知する検知手段とを備え、
前記制御手段は、前記検知手段が人を検知した場合に前記開閉部材の開閉角度が所定角度以下であれば、前記光源を点灯させる、画像形成装置。
【請求項２】
前記制御手段は、前記検知手段が人を検知した場合に、前記開閉部材の開閉角度が所定角度以下であり、かつ、検知された人と前記画像形成装置との離間距離とが所定距離以下であれば、前記光源を点灯させる、請求項１に記載の画像形成装置。
【請求項３】
前記光源を点灯させる条件とする前記離間距離を、前記画像形成装置の高さに応じて設定可能である、請求項２に記載の画像形成装置。
【請求項４】
前記光源を点灯させる条件とする前記開閉部材の開閉角度を、前記画像形成装置の高さに応じて設定可能である、請求項１〜請求項３のいずれか１項に記載の画像形成装置。
【請求項５】
前記光源を点灯させる条件とする前記離間距離を、人の身長に応じて設定可能である、請求項２または請求項３に記載の画像形成装置。
【請求項６】
前記光源を点灯させる条件とする前記開閉部材の開閉角度を、人の身長に応じて設定可能である、請求項１〜請求項５のいずれか１項に記載の画像形成装置。
【請求項７】
前記制御手段は、前記検知手段が人を検知した場合に、前記開閉部材の開閉角度に応じた所定時間の経過後、前記光源を点灯させる、請求項１〜請求項６のいずれか１項に記載の画像形成装置。
【請求項８】
前記検知手段は、高さ方向に分割された複数の検知エリア別に人の顔を検知可能であり、
前記制御手段は、前記検知手段が前記複数の検知エリアのいずれかで人の顔を検知した場合に、前記開閉部材の開閉角度が、前記複数の検知エリア別に定めた角度のうち、前記検知手段が検知した検知エリアに対応して定めた角度以下であれば、前記光源を点灯させる、請求項１〜請求項７のいずれか１項に記載の画像形成装置。
【請求項９】
前記制御手段は、前記開閉部材の開閉角度が前記所定角度を超えていても、前記載置面に原稿が載置されている場合には、前記光源を点灯させる、請求項１〜請求項８のいずれか１項に記載の画像形成装置。
【請求項１０】
前記検知手段が人を検知した場合に前記開閉部材の開閉角度が所定角度以下であれば前記光源を点灯させる設定と、前記検知手段が人を検知した場合に前記開閉部材の開閉角度に関わらず前記光源を点灯させる設定との間で設定を切替可能である、請求項１〜請求項９のいずれか１項に記載の画像形成装置。
【発明の詳細な説明】
【技術分野】
【０００１】
本発明は、画像形成装置に関するものである。
【背景技術】
【０００２】
ユーザーによって一定時間使用されない場合には通常モードから節電モードに移行してスキャナー装置への通電を控える状態となり、使用の再開と共に通常モードへ復帰する機能を備える画像形成装置が従来より知られている。この場合、通常モードへの復帰時には、スキャナー装置の初期化処理を行う必要があり、初期化処理が完了するまで、ユーザーはスキャナー装置を使用できず、待機しなければならない。
【０００３】
初期化処理においては、原稿に光を照射するための光源を点灯させて、白色基準板に光を照射し、その反射光を読取ってシェーディング補正用のデータを生成したり、同じ白色基準板からの反射光を基に、読取りセンサーの出力の利得を補正（ゲイン調整）したりするため、節電モードから通常モードへ復帰するまでに一定の時間を要する。
【０００４】
そこで、近年は、節電モードから通常モードへの復帰に伴うユーザーの待機時間を短縮するために、画像形成装置に人感センサーを搭載し、人感センサーが画像形成装置に近づいてくるユーザーを検知すると、初期化処理を開始するという制御を行っている。
【０００５】
しかし、この制御では、人感センサーが画像形成装置に近づいてくるユーザーを検知すると光源が点灯するため、原稿押さえカバーや自動原稿送り装置等が開いている場合には光源の光がユーザーの目に入り、ユーザーに眩しさを感じさせてしまうという課題があった。
【０００６】
ユーザーが光源の光を眩しいと感じる課題は、このような初期化処理時にのみ生じる訳ではない。たとえば、光源の点灯が必要となる原稿サイズの検出時にも同様の課題が生じ、この課題に関し、以下のような複数の手法が提案されている。
【０００７】
特開２０１２−１０４８８０号公報（特許文献１）や特開２０１２−１０４８７７号公報（特許文献２）は、原稿サイズ検出時には、原稿読取り時の発光光量よりも少ない所定の発光光量で発光素子又は発光素子ブロックの全部或いは一部を点灯させる方法を開示する。
【０００８】
特開２０１２−１５７５０号公報（特許文献３）は、原稿読取時は３色ＬＥＤを同時発光させるが、原稿サイズ検出時には３色ＬＥＤを順次発光させ、同時発光より光量を落とす方法を開示する。
【０００９】
特開２０１０−１３０６３１号公報（特許文献４）は、原稿サイズ検出時には、原稿押さえの圧板が開かれている角度に応じてＬＥＤ光量を調整する方法を開示する。
【００１０】
概略すると、特許文献１〜特許文献４に開示される方法においては、光の眩しさを軽減するために、原稿読取り時よりも光量を抑えて光源を点灯させる。
【先行技術文献】
【特許文献】
【００１１】
【特許文献１】特開２０１２−１０４８８０号公報
【特許文献２】特開２０１２−１０４８７７号公報
【特許文献３】特開２０１２−１５７５０号公報
【特許文献４】特開２０１０−１３０６３１号公報
【発明の概要】
【発明が解決しようとする課題】
【００１２】
しかしながら、初期化処理では、初期化処理を終えてセットされる原稿のデータを適切に補正できるようにするために相当量の光量で光源を点灯させる必要がある。このため、ユーザーを検知することを契機として光源を点灯させて装置の利用に備えるようなケースにおいて、光の眩しさを軽減するために、光源の光量を抑える上述の先行技術を適用することはできない。
【００１３】
そこで、本発明は、ユーザーを検知することを契機として光源を点灯させて装置の利用に備えることができながらも、ユーザーが眩しい思いをすることを極力防止可能な画像形成装置の提供を目的とする。
【課題を解決するための手段】
【００１４】
本発明のある局面に従う画像形成装置は、原稿に光を照射するための光源と、前記光源の点灯を制御する制御手段と、原稿を載置するための載置面に対して開閉自在に設けられる開閉部材と、人を検知する検知手段とを備え、前記制御手段は、前記検知手段が人を検知した場合に前記開閉部材の開閉角度が所定角度以下であれば、前記光源を点灯させる。
【００１５】
好ましくは、前記制御手段は、前記検知手段が人を検知した場合に、前記開閉部材の開閉角度が所定角度以下であり、かつ、検知された人と前記画像形成装置との離間距離とが所定距離以下であれば、前記光源を点灯させる。
【００１６】
好ましくは、前記光源を点灯させる条件とする前記離間距離を、前記画像形成装置の高さに応じて設定可能である。
【００１７】
好ましくは、前記光源を点灯させる条件とする前記開閉部材の開閉角度を、前記画像形成装置の高さに応じて設定可能である。
【００１８】
好ましくは、前記光源を点灯させる条件とする前記離間距離を、人の身長に応じて設定可能である。
【００１９】
好ましくは、前記光源を点灯させる条件とする前記開閉部材の開閉角度を、人の身長に応じて設定可能である。
【００２０】
好ましくは、前記制御手段は、前記検知手段が人を検知した場合に、前記開閉部材の開閉角度に応じた所定時間の経過後、前記光源を点灯させる。
【００２１】
好ましくは、前記検知手段は、高さ方向に分割された複数の検知エリア別に人の顔を検知可能であり、前記制御手段は、前記検知手段が前記複数の検知エリアのいずれかで人の顔を検知した場合に、前記開閉部材の開閉角度が、前記複数の検知エリア別に定めた角度のうち、前記検知手段が検知した検知エリアに対応して定めた角度以下であれば、前記光源を点灯させる。
【００２２】
好ましくは、前記制御手段は、前記開閉部材の開閉角度が前記所定角度を超えていても、前記載置面に原稿が載置されている場合には、前記光源を点灯させる。
【００２３】
好ましくは、前記検知手段が人を検知した場合に前記開閉部材の開閉角度が所定角度以下であれば前記光源を点灯させる設定と、前記検知手段が人を検知した場合に前記開閉部材の開閉角度に関わらず前記光源を点灯させる設定との間で設定を切替可能である。
【発明の効果】
【００２４】
本発明によれば、ユーザーを検知することを契機として光源を点灯させて装置の利用に備えることができながらも、ユーザーが眩しい思いをすることを極力防止可能な画像形成装置を提供できる。
【図面の簡単な説明】
【００２５】
【図１】実施の形態１における画像形成装置を示す図である。
【図２】実施の形態１における画像形成装置のハードウェア構成を示すブロック図である。
【図３】実施の形態１におけるランプの点灯制御の概要を示す図である。
【図４】実施の形態１におけるランプの点灯処理を説明するフローチャートである。
【図５】実施の形態２におけるランプの点灯制御の概要を示す図である。
【図６】実施の形態２におけるランプ点灯制御テーブル１を示す図である。
【図７】実施の形態２におけるランプの点灯処理を説明するフローチャートである。
【図８】実施の形態３におけるランプの点灯制御の概要を示す図である。
【図９】実施の形態３におけるランプの点灯制御の概要を示す図である。
【図１０】実施の形態３におけるランプ点灯制御テーブルを示す図である。
【図１１】実施の形態３におけるランプの点灯処理を説明するフローチャートである。
【図１２】実施の形態４におけるランプの点灯制御の概要を示す図である。
【図１３】実施の形態４におけるランプの点灯制御の概要を示す図である。
【図１４】実施の形態４におけるランプ点灯制御テーブルを示す図である。
【図１５】実施の形態４におけるランプの点灯処理を説明するフローチャートである。
【図１６】実施の形態５におけるランプの点灯制御の概要を示す図である。
【図１７】実施の形態５におけるランプ点灯制御テーブル６を示す図である。
【図１８】実施の形態５におけるランプの点灯処理を説明するフローチャートである。
【図１９】実施の形態６におけるランプの点灯制御の概要を示す図である。
【図２０】実施の形態６におけるランプ点灯制御テーブル７を示す図である。
【図２１】実施の形態６におけるランプの点灯処理を説明するフローチャートである。
【図２２】実施の形態７におけるランプの点灯処理を説明するフローチャートである。
【図２３】実施の形態８におけるランプの点灯処理を説明するフローチャートである。
【発明を実施するための形態】
【００２６】
以下、各実施の形態について、図面を参照しながら詳細に説明する。なお、図中の同一または相当部分については、同一符号を付してその説明は繰り返さない。
【００２７】
［実施の形態１］
まず、実施の形態１における画像形成装置１００の構成について説明する。画像形成装置１００はスキャナー装置１０を備え、複合機（ＭＦＰ：Ｍｕｌｔｉ−Ｆｕｎｃｔｉｏｎａｌ  Ｐｅｒｉｐｈｅｒａｌ）、複写機、ファクシミリ、プリンターといったどのような形態で実装されてもよい。
【００２８】
図１は、実施の形態１における画像形成装置１００を示す図である。図１（ａ）は、画像形成装置１００の外観を示す図であり、図１（ｂ）は、Ａ−Ａ線における断面図の模式図である。また、図２は、実施の形態１における画像形成装置１００のハードウェア構成を示すブロック図である。
【００２９】
図１および図２を参照して、画像形成装置１００は、ここでは複合機であり、スキャナー装置１０と、表示装置１１と、画像処理装置１２と、印刷装置１３と、ネットワークインターフェース１４と、人感センサー１５と、開閉センサー１６ａ，１６ｂ，１６ｃと、ランプ１７と、制御部１８とを備え、各々は、バス１９を通じて互いに接続されている。
【００３０】
スキャナー装置１０は、画像形成装置１００本体の上部に設けられている。スキャナー装置１０は、自動原稿送り装置と一体となった原稿押さえカバー１０ａ（図１（ａ）、図１（ｂ）参照）と読取部１０ｂとを含んでいる。スキャナー装置１０は、自動原稿送り装置から送られてくる原稿、または、載置面２０（図１（ｂ）参照）に載置されている原稿の画像を読取部１０ｂで読み取り、読み取った画像のデータを画像処理装置１２などに送信する。
【００３１】
ここで、図１（ｂ）を参照して、原稿押さえカバー１０ａについて説明する。原稿押さえカバー１０ａは、原稿を載置する載置面２０に対して開閉自在となるように、画像表示装置１００の本体に連結されている。原稿押さえカバー１０ａと画像形成装置１００の本体との連結部分近傍かつ原稿押さえカバー１０ａ側には、棒状の被検出体２１が長手方向を鉛直向きに取り付けられている。被検出体２１は、原稿押さえカバー１０ａの開閉角度と連動する深さで画像表示装置１００の本体に対して鉛直方向に差し込まれる。なお、原稿押さえカバー１０ａは、自動原稿送り装置と一体となったものに限られず、原稿押さえカバーだけであってもよい。
【００３２】
表示装置１１は、画像形成装置１００本体の上部に設けられている。表示装置１１は、タッチパネル式の操作パネル１１ａ（図１（ａ）参照）を含んでいる。操作パネル１１ａは、操作画面などの各種情報を表示し、ユーザーによるタッチ操作を可能とする。
【００３３】
画像処理装置１２は、画像形成装置１００本体の内部に設けられている。画像処理装置１２は、画像編集部１２ａと、画像記憶部１２ｂとを含んでいる。画像編集部１２ａは、ユーザーにより行われた印刷の設定などに基づいて、読取部１０ｂで読み取った画像のデータを編集する。画像記憶部１２ｂは、たとえばハードディスク装置であり、読取部１０ｂで読み取った画像のデータや、画像編集部１２ａで編集された画像のデータなどの各種情報を一時的に記憶する。
【００３４】
印刷装置１３は、印刷部１３ａと、給紙カセット１３ｂ（図１（ａ）参照）と、ステープル部１３ｃ（図１（ａ）参照）とを含んでいる。印刷部１３ａは、画像形成装置１００本体の内部に設けられており、画像編集部１２ａで編集された画像を給紙カセット１３ｂに格納されている用紙に印刷する。ステープル部１３ｃは、画像形成装置１００本体の左側または右側（図１（ａ）中では左側）に設けられており、印刷部１３ａで印刷された用紙に対して、ステープルなどの後処理を施す。
【００３５】
ネットワークインターフェース１４は、画像形成装置１００本体の内部に設けられている。ネットワークインターフェース１４は、画像形成装置１００をネットワークに接続するためのインターフェースであり、有線のＬＡＮや無線ＬＡＮ等である。ネットワークインターフェース１４は、他の装置と接続され、他の装置から印刷のためのジョブデータを受信したり、他の装置へ読取部１０ｂで読み取った画像を送信したりすることができる。
【００３６】
人感センサー１５は、図１（ｂ）に示すように、画像形成装置１００本体の正面に設けられている。人感センサー１５は、画像形成装置１００に向かってくるユーザーを検知する。
【００３７】
開閉センサー１６ａ，１６ｂ，１６ｃは、図１（ｂ）に示すように、画像形成装置１００本体の内部に設けられ、原稿押さえカバー１０ａが載置面２０に対し、どの程度開いているかを検出する。具体的には、載置面２０の上辺と原稿押さえカバー１０ａの下辺との間の角度（以下、「開閉角度」と称す。また、図中のｘは、「開閉角度」を指す。）を検出する。開閉センサー１６ａ，１６ｂ，１６ｃは、被検出体２１が差し込まれる鉛直方向に並ぶように配列されており、各開閉センサー１６ａ，１６ｂ，１６ｃによる被検出体２１の検出状況から原稿押さえカバー１０ａの開閉角度が特定される。たとえば、原稿押さえカバー１０ａが閉まっている場合の開閉角度は０度である。なお、図１（ｂ）に示す画像形成装置１００は、開閉センサーを３つ（開閉センサー１６ａ，１６ｂ，１６ｃ）備えているが、開閉角度を検出できるものであれば、さらに数多くのセンサーを備えるものとしてもよい。あるいは、単一のセンサーで被検出体２１の特定位置を検出することによって、開閉角度を検出するものとしてもよい。
【００３８】
ランプ１７は、図１（ｂ）に示すように、載置面２０の下に設けられ、原稿読取り時やスキャナーの初期化処理時等に点灯する。ランプ１７は、原稿に光を照射するための光源であればよく、たとえば、ＬＥＤ、白熱電球、蛍光灯等である。原稿押さえカバー１０ａが開いている場合にランプ１７が点灯すると、直接、光（図１（ｂ）に示す矢印）がユーザーの目に入るので、ユーザーは眩しいと感じてしまう。なお、ランプ１７が点灯すると、原稿押さえカバー１０ａに反射した光等も発生するが、これは、拡散するため、直接光と比べ光量が大幅に落ち、あまり問題とはならない。
【００３９】
制御部１８は、画像形成装置１００本体の内部に設けられている。制御部１８は、ＣＰＵ（Ｃｅｎｔｒａｌ  Ｐｒｏｃｅｓｓｉｎｇ  Ｕｎｉｔ）１８ａと、ＲＯＭ（Ｒｅａｄ  Ｏｎｌｙ  Ｍｅｍｏｒｙ）１８ｂと、ＲＡＭ（Ｒａｎｄｏｍ  Ａｃｃｅｓｓ  Ｍｅｍｏｒｙ）１８ｃなどを含んでいる。ＣＰＵ１８ａは、画像形成装置１００の各部の動作を総括的に制御する。ＲＯＭ１８ｂは、画像形成装置１００の動作を制御する制御プログラムを格納する。ＲＡＭ１８ｃはＣＰＵ１８ａの作業用のメモリである。
【００４０】
画像形成装置１００は、節電機能を備えており、原稿押さえカバー１０ａの開閉動作や操作パネル１１ａの操作など、画像形成装置１００に対するユーザーの操作が一定時間、検出されない場合には、通常モードから通電を抑えた節電モードへと移行する。節電モードへと移行した後、人感センサー１５によってユーザーが検知された場合に、節電モードから通常モードに復帰する処理が自動的に開始される。節電モードから通常モードに復帰する際にはスキャナー装置１０の初期化処理が実行される。初期化処理では、通常モードに備えた調整を施すためにランプ１７が点灯する。このため、原稿押さえカバー１０ａが大きく開いているにも関わらず、人感センサー１５によってユーザーが検知されたことのみを条件として節電モードから通常モードへ復帰する処理を開始したのでは、ユーザーが眩しい思いをするおそれがある。
【００４１】
そこで、実施の形態１では、人感センサー１５がユーザーを検知したときの状況に応じて、節電モードから通常モードに復帰するためにランプ１７の点灯を行うか否かを決定する。具体的には、人感センサー１５がユーザーを検知したときの原稿押さえカバー１０ａの開閉角度が所定角度以下であることを条件としてランプ１７を点灯させ、節電モードから通常モードに復帰するための初期化処理を開始する。以下、図面を参照して、人感センサー１５がユーザーを検知したときにランプ１７を点灯させるか否かを決定する制御の詳細を説明する。なお、以下の説明において、このような制御を単に、ランプ１７の点灯制御と称する。
【００４２】
まず、実施の形態１として、開閉角度に応じてランプ１７を点灯させる制御について説明する。図３は、実施の形態１におけるランプの点灯制御の概要を示す図である。
【００４３】
図３は、ユーザーであるＫ氏が画像形成装置１００に向かって歩いているところを示す。地点Ｐは人感センサー１５がＫ氏を検知した地点を示す。「ｘ＝３０」は、原稿押さえカバー１０ａの開閉角度である。また、「１６度」は、ランプ１７を点灯させるか否かを決定するために用いる原稿押さえカバー１０ａの開閉角度のしきい値である。図３の例では、原稿押さえカバー１０ａの開閉角度がしきい値以上の３０度であるため、ランプ１７は点灯しない。
【００４４】
図３が示すように、実施の形態１においては、人感センサー１５がユーザーを検知したときの原稿押さえカバー１０ａの開閉角度が１６度以下であれば、ランプ１７が点灯する。しかしながら、しきい値となる角度は１６度に限定されるものではない。しきい値は、たとえば、ユーザーの目にランプ１７の光が直接に入らないものであれば、どのような角度に設定してもよい。一般に、原稿押さえカバー１０ａの開閉角度が大きい場合には、ユーザーの目にランプ光が入りやすくなるが、実施の形態１のような制御により、人感センサー１５がユーザーを検知したときの原稿押さえカバー１０ａの開閉角度がしきい値を超えている場合にはランプ１７が点灯しないため、ユーザーが眩しい思いをしなくてすむ。また、このような制御により、人感センサー１５がユーザーを検知したときの原稿押さえカバー１０ａの開閉角度がしきい値以下であればランプ１７が点灯し、通常モードへと復帰するための初期化処理が自動的に開始されるため、節電モードから通常モードへの復帰に伴うユーザーの待機時間を短縮することができる。
【００４５】
図４は、実施の形態１におけるランプの点灯処理を説明するフローチャートである。図４に示す処理はＣＰＵ１８ａにより実行される。
【００４６】
まず、ＣＰＵ１８ａは、人感センサー１５がユーザーを検知したか否かを判定する（Ｓ５０）。ＣＰＵ１８ａは、Ｓ５０の判定処理を、人感センサー１５がユーザーを検知したと判定するまで一定の間隔で繰り返し、人感センサー１５がユーザーを検知したと判定した場合には（Ｓ５０でＹＥＳ）、Ｓ５１へ処理を進める。たとえば、図３では、人感センサー１５がＫ氏を地点Ｐにおいて検知しているので、その後の最初の判定処理において、ＣＰＵ１８ａは、人感センサー１５がユーザーを検知したと判定する。
【００４７】
Ｓ５１では、ＣＰＵ１８ａは、開閉センサー１６ａ，１６ｂ，１６ｃが検出した原稿押さえカバー１０ａの開閉角度を取得する。原稿押さえカバー１０ａの開閉角度は、人感センサー１５がユーザーを検知した場合に、開閉センサー１６ａ，１６ｂ，１６ｃにより検出される。開閉センサー１６ａ，１６ｂ，１６ｃは、ＣＰＵ１８ａから原稿押さえカバー１０ａの開閉角度の取得要求を受信すると、検出した原稿押さえカバー１０ａの開閉角度をＣＰＵ１８ａへ送信する。たとえば、図３では、ＣＰＵ１８ａは、原稿押さえカバー１０ａの開閉角度が３０度であるという情報を取得する。
【００４８】
次いで、ＣＰＵ１８ａは、取得した原稿押さえカバー１０ａの開閉角度が所定角度以下であるか否かを判定する（Ｓ５２）。取得した原稿押さえカバー１０ａの開閉角度が所定角度以下である場合には（Ｓ５２でＹＥＳ）、ＣＰＵ１８ａは、ランプ１７を点灯させて（Ｓ５３）、処理を終了する。一方、取得した原稿押さえカバー１０ａの開閉角度が所定角度以下でない場合には（Ｓ５２でＮＯ）、ＣＰＵ１８ａは、ランプ１７を点灯させることなく、処理を終了する。たとえば、図３では、所定角度が１６度に設定されており、原稿押さえカバー１０ａの開閉角度が１６度を超えているので、ＣＰＵ１８ａは、ランプ１７を点灯させることなく、処理を終了する。
【００４９】
ＣＰＵ１８ａがＳ５０〜Ｓ５３の処理を実行することにより、図３に示すような、人感センサー１５がユーザーを検知したときの原稿押さえカバー１０ａの開閉角度が所定角度以下であることを条件にしてランプ１７を点灯させ、節電モードから通常モードに復帰するための初期化処理を開始する制御が可能となる。
【００５０】
［実施の形態２］
次に、実施の形態２を説明する。実施の形態２は、人感センサー１５がユーザーを検知したときのランプ１７の点灯制御が実施の形態１と異なる。また、実施の形態１における人感センサー１５は、画像形成装置１００に向かってくるユーザーを検知するにすぎなかったのに対し、実施の形態２における人感センサー１５は、ユーザーと画像形成装置１００との離間距離を検出できる点で、実施の形態２は実施の形態１と異なる。その他の点では、画像形成装置１００の構成を含めて、実施の形態２は実施の形態１と共通している。実施の形態１では、人感センサー１５がユーザーを検知したときの原稿押さえカバー１０ａの開閉角度が所定角度以下であることを条件としてランプ１７を点灯させ、節電モードから通常モードに復帰するための初期化処理を開始した。これに対して、実施の形態２では、人感センサー１５がユーザーを検知した場合に、原稿押さえカバー１０ａの開閉角度およびユーザーと画像形成装置１００との離間距離に応じてランプ１７を点灯させ、節電モードから通常モードに復帰するための初期化処理を開始する。
【００５１】
図５は、実施の形態２におけるランプの点灯制御の概要を示す図である。図５は、ユーザーであるＫ氏が画像形成装置１００に向かって歩いているところを示す。地点Ｐは人感センサー１５がＫ氏を検知し始めた地点を、地点ＱはＫ氏の現在地を示す。図５が示すように、地点Ｑと画像形成装置１００との離間距離は、９０センチメートルである。図５（ａ）が示すように、原稿押さえカバー１０ａの開閉角度ｘが１２度より大きく１６度以下であるときには、Ｋ氏と画像形成装置１００との離間距離が７０センチメートル以下になるとランプ１７が点灯する。一方、図５（ｂ）が示すように、原稿押さえカバー１０ａの開閉角度ｘが１６度より大きく２０度以下であるときには、Ｋ氏と画像形成装置１００との離間距離が６０センチメートル以下になるとランプ１７が点灯する。
【００５２】
図５（ａ），図５（ｂ）が示すように、実施の形態２においては、人感センサー１５がユーザーを検知した場合に、原稿押さえカバー１０ａの開閉角度が大きいときの方が原稿押さえカバー１０ａの開閉角度が小さいときよりもユーザーが画像形成装置１００に近づくまでランプ１７が点灯しない。一般に、原稿押さえカバー１０ａが大きく開いている場合には、ユーザーの目にランプ光が入りやすくなるので、そのような場合に長時間ランプ１７が点灯していると、ユーザーが眩しい思いをする。しかしながら、実施の形態２のような制御により、人感センサー１５がユーザーを検知した場合に、原稿押さえカバー１０ａの開閉角度が大きいときの方が原稿押さえカバー１０ａの開閉角度が小さいときよりもランプ１７の点灯を遅らせることができる。これにより、原稿押さえカバー１０ａが大きく開いている場合に、ユーザーが長時間にわたってランプ光を受ける状況を回避できるので、ユーザーが眩しい思いをしなくてすむ。また、このような制御により、原稿押さえカバー１０ａが大きく開いている場合でも、ユーザーが画像形成装置１００に近づけばランプ１７が点灯し、通常モードへと復帰するための初期化処理が自動的に開始されるため、節電モードから通常モードへの復帰に伴うユーザーの待機時間を短縮することができる。
【００５３】
図６は、実施の形態２におけるランプ点灯制御テーブル１を示す図である。ランプ点灯制御テーブル１はＲＯＭ１８ｂに格納される。ランプ点灯制御テーブル１には、原稿押さえカバー１０ａの開閉角度およびユーザーと画像形成装置１００との離間距離に応じて、ランプ１７の「点灯」または「消灯」が割り当てられている。開閉角度と離間距離との関係が、ランプ点灯制御テーブル１の「点灯」に対応する場合にはランプ１７が点灯し、「消灯」に対応する場合にはランプ１７が点灯しない。図５に示したランプの点灯制御は、ＣＰＵ１８ａによるランプの点灯処理（図７）において、ランプ点灯制御テーブル１が参照されることで実現される。
【００５４】
ランプ点灯制御テーブル１では、ユーザーと画像形成装置１００との離間距離が５０センチメートル以下においては、原稿押さえカバー１０ａの開閉角度に関わらず「点灯」が割り当てられている。このような割り当てにより、人感センサー１５がユーザーを検知した場合に、ユーザーと画像形成装置１００との離間距離が一定の距離以下（たとえば、図６では、５０センチメートル以下）になると、原稿押さえカバー１０ａの開閉角度に関わらずランプ１７が点灯し、通常モードへと復帰するための初期化処理が自動的に開始されるため、節電モードから通常モードへの復帰に伴うユーザーの待機時間を短縮することができる。
【００５５】
一方、ランプ点灯制御テーブル１では、ユーザーと画像形成装置１００との離間距離が５０センチメートルを超えている場合には、原稿押さえカバー１０ａの開閉角度およびユーザーと画像形成装置１００との離間距離に応じて「点灯」が割り当てられている。具体的には、開閉角度が４度以下の場合には、離間距離が１００センチメートル以下の場合に、開閉角度が８度以下の場合には、離間距離が９０センチメートル以下の場合に、開閉角度が１２度以下の場合には、離間距離が８０センチメートル以下の場合に、開閉角度が１６度以下の場合には、離間距離が７０センチメートル以下の場合に、開閉角度が２０度以下の場合には、離間距離が６０センチメートル以下の場合に、「点灯」が割り当てられている。このような割り当てにより、人感センサー１５がユーザーを検知した場合に、原稿押さえカバー１０ａの開閉角度が大きいときの方が原稿押さえカバー１０ａの開閉角度が小さいときよりもユーザーが画像形成装置１００に近づくまでランプ１７が点灯しない。
【００５６】
一般に、原稿押さえカバー１０ａが大きく開いている場合には、ユーザーの目にランプ光が入りやすくなるので、そのような場合に長時間ランプ１７が点灯していると、ユーザーが眩しい思いをする。しかしながら、このような割り当てにより、人感センサー１５がユーザーを検知した場合に、原稿押さえカバー１０ａの開閉角度が大きいときの方が原稿押さえカバー１０ａの開閉角度が小さいときよりもランプ１７の点灯を遅らせることができる。これにより、原稿押さえカバー１０ａが大きく開いている場合に、ユーザーが長時間にわたってランプ光を受ける状況を回避できるので、ユーザーが眩しい思いをしなくてすむ。また、このような制御により、原稿押さえカバー１０ａが大きく開いている場合でも、ユーザーが画像形成装置１００に近づけばランプ１７が点灯し、通常モードへと復帰するための初期化処理が自動的に開始されるため、節電モードから通常モードへの復帰に伴うユーザーの待機時間を短縮することができる。
【００５７】
図７は、実施の形態２におけるランプの点灯処理を説明するフローチャートである。図７に示す処理はＣＰＵ１８ａにより実行される。
【００５８】
まず、ＣＰＵ１８ａは、人感センサー１５がユーザーを検知したか否かを判定する（Ｓ６０）。ＣＰＵ１８ａは、Ｓ６０の判定処理を、人感センサー１５がユーザーを検知したと判定するまで一定の間隔で繰り返し、人感センサー１５がユーザーを検知したと判定した場合には（Ｓ６０でＹＥＳ）、Ｓ６１へ処理を進める。Ｓ６１では、ＣＰＵ１８ａは、開閉センサー１６ａ，１６ｂ，１６ｃが検出した原稿押さえカバー１０ａの開閉角度を取得する。なお、Ｓ６０とＳ６１の処理は、図４に示すＳ５０とＳ５１の処理と同様である。
【００５９】
次いで、ＣＰＵ１８ａは、人感センサー１５により検出された、ユーザーと画像形成装置１００との離間距離を取得する（Ｓ６２）。ユーザーと画像形成装置１００との離間距離は、人感センサー１５により検出される。人感センサー１５は、検出距離が異なる複数のセンサーを備えており、どのセンサーが稼働したかにより、ユーザーと画像形成装置１００との離間距離を検出する。なお、人感センサー１５はユーザーと画像形成装置１００との離間距離を検出できるものであればよく、複数のセンサーを備えていなくともよい。人感センサー１５は、ＣＰＵ１８ａから離間距離の取得要求を受信すると、その時点におけるユーザーと画像形成装置１００との離間距離を検出し、検出した離間距離をＣＰＵ１８ａへ送信する。たとえば、図５（ａ）では、ＣＰＵ１８ａは、ユーザーと画像形成装置１００との離間距離が９０センチメートルであるという情報を取得する。
【００６０】
次いで、ＣＰＵ１８ａは、ランプ点灯制御テーブルを参照して、Ｓ６１で取得した原稿押さえカバー１０ａの開閉角度およびＳ６２で取得したユーザーと画像形成装置１００との離間距離の場合に、「点灯」が割り当てられているか否かを判定する（Ｓ６３）。「点灯」が割り当てられている場合には（Ｓ６３でＹＥＳ）、ＣＰＵ１８ａは、ランプ１７を点灯させて（Ｓ６４）、処理を終了する。一方、「消灯」が割り当てられている場合には（Ｓ６３でＮＯ）、ＣＰＵ１８ａは、処理をＳ６２に戻す。たとえば、ランプ点灯制御テーブル１を参照すると、原稿押さえカバー１０ａの開閉角度が１２度より大きく１６度以下の場合、かつ、ユーザーと画像形成装置１００との離間距離が９０センチメートルの場合には、「消灯」が割り当てられているので、ＣＰＵ１８ａはランプ１７を点灯させずに、処理をＳ６２へ戻し、離間距離を取得し直す。図５（ａ）では、人感センサー１５がＫ氏を検知した後も、Ｋ氏は画像形成装置１００に向かって移動しているので、ＣＰＵ１８ａが離間距離を取得し直すと、ユーザーと画像形成装置１００との離間距離は短くなる。取得し直したユーザーと画像形成装置１００との離間距離が７０センチメートル以下であれば、ランプ点灯制御テーブル１を参照すると「点灯」が割り当てられているので、ＣＰＵ１８ａはランプ１７を点灯させ、処理を終了する。
【００６１】
ＣＰＵ１８ａがＳ６０〜Ｓ６４の処理を実行することにより、図５に示すような、人感センサー１５がユーザーを検知した場合に、原稿押さえカバー１０ａの開閉角度およびユーザーと画像形成装置１００との離間距離に応じてランプ１７を点灯させ、節電モードから通常モードに復帰するための初期化処理を開始する制御が可能となる。
【００６２】
［実施の形態３］
次に、実施の形態３を説明する。実施の形態３は、実施の形態２の変形例である。画像形成装置１００の構成を含めて、実施の形態３は実施の形態２と共通している。実施の形態２では、人感センサー１５がユーザーを検知した場合に、原稿押さえカバー１０ａの開閉角度およびユーザーと画像形成装置１００との離間距離に応じてランプ１７を点灯させ、節電モードから通常モードに復帰するための初期化処理を開始した。実施の形態３においても、人感センサー１５がユーザーを検知した場合に、原稿押さえカバー１０ａの開閉角度およびユーザーと画像形成装置１００との離間距離に応じてランプ１７を点灯させ、節電モードから通常モードに復帰するための初期化処理を開始するのだが、ランプ１７を点灯させる条件とする原稿押さえカバー１０ａの開閉角度やユーザーと画像形成装置１００との離間距離を画像形成装置の高さに応じて設定する。つまり、実施の形態３では、人感センサー１５がユーザーを検知した場合に、原稿押さえカバー１０ａの開閉角度、ユーザーと画像形成装置１００との離間距離、および画像形成装置の高さに応じてランプを点灯させ、節電モードから通常モードに復帰するための初期化処理を開始する。ここで、画像形成装置の高さとは、画像形成装置が設置されている床面から載置面２０までの距離を指し、画像形成装置が設置台や机等の上に設置されている場合には、設置台や机等が設置されている床面から載置面２０までの距離を指す。したがって、画像形成装置の高さは、筐体の大きさや、給紙カセットの段数、設置台や机の高さ等により変化する。なお、画像形成装置の高さは、必ずしも、床面から載置面２０までの距離である必要はなく、床面からランプ１７までの距離であってもよい。以下では、画像形成装置が設置されている床面から載置面までの距離を、「画像形成装置の高さ」と称す。
【００６３】
図８と図９は、実施の形態３におけるランプの点灯制御の概要を示す図である。図８は、ランプ１７を点灯させる条件とするユーザーと画像形成装置１００との離間距離を、画像形成装置の高さによって設定可能であることを示し、図９は、ランプ１７を点灯させる条件とする原稿押さえカバー１０ａの開閉角度のしきい値を、画像形成装置の高さによって設定可能であることを示している。
【００６４】
図８は、ユーザーであるＫ氏が画像形成装置１００に向かって歩いているところを示す。地点Ｐは人感センサー１５がＫ氏を検知し始めた地点を、地点ＱはＫ氏の現在地を示す。図８が示すように、地点Ｑと画像形成装置１００との離間距離は、９０センチメートルである。また、図８が示すように、原稿押さえカバー１０ａの開閉角度ｘは、１２度より大きく１６度以下である。図８（ａ）が示すように、画像形成装置の高さが１００センチメートルであるときには、ユーザーと画像形成装置１００との離間距離が７０センチメートル以下になるとランプ１７が点灯する。一方、図８（ｂ）が示すように、画像形成装置の高さが９０センチメートルであるときには、ユーザーと画像形成装置１００との離間距離が８０センチメートル以下になるとランプ１７が点灯する。
【００６５】
図８（ａ），図８（ｂ）が示すように、実施の形態３においては、人感センサー１５がユーザーを検知した場合に、画像形成装置の高さが高いときの方が画像形成装置の高さが低いときよりもユーザーが画像形成装置１００に近づくまでランプ１７が点灯しない。一般に、画像形成装置の高さが高い場合には、ユーザーの目にランプ光が入りやすくなるので、そのような場合に長時間ランプ１７が点灯していると、ユーザーが眩しい思いをする。しかしながら、実施の形態３のような制御により、人感センサー１５がユーザーを検知した場合に、画像形成装置の高さが高いときの方が画像形成装置の高さが低いときよりもランプ１７の点灯を遅らせることができる。これにより、画像形成装置の高さが高い場合に、ユーザーが長時間にわたってランプ光を受ける状況を回避できるので、ユーザーが眩しい思いをしなくてすむ。また、このような制御により、人感センサー１５がユーザーを検知した場合に、画像形成装置の高さが高くても、ユーザーが画像形成装置１００に近づけばランプ１７が点灯し、通常モードへと復帰するための初期化処理が自動的に開始されるため、節電モードから通常モードへの復帰に伴うユーザーの待機時間を短縮することができる。
【００６６】
図９は、ユーザーであるＫ氏が画像形成装置１００に向かって歩いているところを示す。地点Ｐは人感センサー１５がＫ氏を検知し始めた地点を、地点ＱはＫ氏の現在地を示す。図９が示すように、地点Ｑと画像形成装置１００との離間距離は、７０センチメートルである。また、図９（ａ）に示される「１６度」と図９（ｂ）に示される「２０度」は、ランプ１７を点灯させるか否かを決定するために用いる原稿押さえカバー１０ａの開閉角度のしきい値である。図９（ａ）が示すように、画像形成装置の高さが１００センチメートルであるときに、ランプ１７が点灯するのは、原稿押さえカバー１０ａの開閉角度が１６度以下の場合である。一方、図９（ｂ）が示すように、画像形成装置の高さが９０センチメートルの場合にランプ１７が点灯するのは、原稿押さえカバー１０ａの開閉角度が２０度以下の場合である。なお、しきい値となる角度は１６度または２０度に限定されるものではない。しきい値は、たとえば、ユーザーの目にランプ１７の光が直接に入らないものであれば、どのような角度に設定してもよい。
【００６７】
図９（ａ），図９（ｂ）が示すように、実施の形態３においては、画像形成装置の高さが高いときの方が画像形成装置の高さが低いときよりも、人感センサー１５がユーザーを検知した場合にランプ１７を点灯させるか否かを決定するために用いる原稿押さえカバー１０ａの開閉角度のしきい値が小さい。一般に、画像形成装置の高さが高い場合には、ユーザーの目にランプ光が入りやすくなるので、そのような場合に原稿押さえカバー１０ａが大きく開いていると、ユーザーが眩しい思いをする。しかしながら、実施の形態３のような制御により、画像形成装置の高さが高い場合にランプ１７を点灯させても、原稿押さえカバー１０ａの開閉角度が小さいので、ユーザーが眩しい思いをしなくてすむ。また、このような制御により、画像形成装置の高さが高い場合でも、原稿押さえカバー１０ａの開閉角度が小さければランプ１７が点灯し、通常モードへと復帰するための初期化処理が自動的に開始されるため、節電モードから通常モードへの復帰に伴うユーザーの待機時間を短縮することができる。
【００６８】
図１０は、実施の形態３におけるランプ点灯制御テーブルを示す図である。図１０（ａ）は、画像形成装置の高さが９５センチメートル以上の場合に用いられるランプ点灯制御テーブル２を示し、図１０（ｂ）は、画像形成装置の高さが９５センチメートル未満の場合に用いられるランプ点灯制御テーブル３を示す。これらのテーブルはＲＯＭ１８ｂに格納される。これらのテーブルには、原稿押さえカバー１０ａの開閉角度およびユーザーと画像形成装置１００との離間距離に応じて、ランプ１７の「点灯」または「消灯」が割り当てられている。開閉角度と離間距離との関係が、これらのテーブルの「点灯」に対応する場合にはランプ１７が点灯し、「消灯」に対応する場合にはランプ１７が点灯しない。図８や図９に示したランプの点灯制御は、ＣＰＵ１８ａによるランプの点灯処理（図１１）において、これらのテーブルが参照されることで実現される。
【００６９】
ランプ点灯制御テーブル２では、ユーザーと画像形成装置１００との離間距離が５０センチメートル以下においては、原稿押さえカバー１０ａの開閉角度に関わらず「点灯」が割り当てられている。一方、ユーザーと画像形成装置１００との離間距離が５０センチメートルを超えている場合には、原稿押さえカバー１０ａの開閉角度およびユーザーと画像形成装置１００との離間距離に応じて「点灯」が割り当てられている。具体的には、開閉角度が４度以下の場合には、離間距離が１００センチメートル以下の場合に、開閉角度が８度以下の場合には、離間距離が９０センチメートル以下の場合に、開閉角度が１２度以下の場合には、離間距離が８０センチメートル以下の場合に、開閉角度が１６度以下の場合には、離間距離が７０センチメートル以下の場合に、開閉角度が２０度以下の場合には、離間距離が６０センチメートル以下の場合に、「点灯」が割り当てられている。
【００７０】
ランプ点灯制御テーブル３では、ユーザーと画像形成装置１００との離間距離が６０センチメートル以下においては、原稿押さえカバー１０ａの開閉角度に関わらず「点灯」が割り当てられている。一方、ユーザーと画像形成装置１００との離間距離が６０センチメートルを超えている場合には、原稿押さえカバー１０ａの開閉角度およびユーザーと画像形成装置１００との離間距離に応じて「点灯」が割り当てられている。具体的には、開閉角度が８度以下の場合には、離間距離が１００センチメートル以下の場合に、開閉角度が１２度以下の場合には、離間距離が９０センチメートル以下の場合に、開閉角度が１６度以下の場合には、離間距離が８０センチメートル以下の場合に、開閉角度が２０度以下の場合には、離間距離が７０センチメートル以下の場合に、「点灯」が割り当てられている。
【００７１】
このようなランプ点灯制御テーブル２とランプ点灯制御テーブル３による割り当てにより、人感センサー１５がユーザーを検知した場合に、画像形成装置の高さが高いときの方が画像形成装置の高さが低いときよりもユーザーが画像形成装置１００に近づくまでランプ１７が点灯しない。一般に、画像形成装置の高さが高い場合には、ユーザーの目にランプ光が入りやすくなるので、そのような場合に長時間ランプ１７が点灯していると、ユーザーが眩しい思いをする。しかしながら、このような割り当てにより、人感センサー１５がユーザーを検知した場合に、画像形成装置の高さが高いときの方が画像形成装置の高さが低いときよりもランプ１７の点灯を遅らせることができる。これにより、画像形成装置の高さが高い場合に、ユーザーが長時間にわたってランプ光を受ける状況を回避できるので、ユーザーが眩しい思いをしなくてすむ。また、このような制御により、人感センサー１５がユーザーを検知した場合に、画像形成装置の高さが高くても、ユーザーが画像形成装置１００に近づけばランプ１７が点灯し、通常モードへと復帰するための初期化処理が自動的に開始されるため、節電モードから通常モードへの復帰に伴うユーザーの待機時間を短縮することができる。
【００７２】
また、このようなランプ点灯制御テーブル２とランプ点灯制御テーブル３による割り当てにより、画像形成装置の高さが高いときの方が画像形成装置の高さが低いときよりも、人感センサー１５がユーザーを検知した場合にランプ１７を点灯させるか否かを決定するために用いる原稿押さえカバー１０ａの開閉角度のしきい値が小さい。一般に、画像形成装置の高さが高い場合には、ユーザーの目にランプ光が入りやすくなるので、そのような場合に原稿押さえカバー１０ａが大きく開いていると、ユーザーが眩しい思いをする。しかしながら、このような割り当てにより、画像形成装置の高さが高い場合にランプ１７を点灯させても、原稿押さえカバー１０ａの開閉角度が小さいので、ユーザーが眩しい思いをしなくてすむ。また、このような制御により、画像形成装置の高さが高い場合でも、原稿押さえカバー１０ａの開閉角度が小さければランプ１７が点灯し、通常モードへと復帰するための初期化処理が自動的に開始されるため、節電モードから通常モードへの復帰に伴うユーザーの待機時間を短縮することができる。
【００７３】
また、このようなランプ点灯制御テーブル２とランプ点灯制御テーブル３による割り当てにより、人感センサー１５がユーザーを検知した場合に、ユーザーと画像形成装置１００との離間距離が一定の距離以下（たとえば、図１０（ａ）では５０センチメートル以下、図１０（ｂ）では６０センチメートル以下）になると、原稿押さえカバー１０ａの開閉角度に関わらずランプ１７が点灯し、通常モードへと復帰するための初期化処理が自動的に開始されるため、節電モードから通常モードへの復帰に伴うユーザーの待機時間を短縮することができる。
【００７４】
また、このようなランプ点灯制御テーブル２とランプ点灯制御テーブル３による割り当てにより、人感センサー１５がユーザーを検知した場合に、原稿押さえカバー１０ａの開閉角度が大きいときの方が原稿押さえカバー１０ａの開閉角度が小さいときよりもユーザーが画像形成装置１００に近づくまでランプ１７が点灯しない。一般に、原稿押さえカバー１０ａが大きく開いている場合には、ユーザーの目にランプ光が入りやすくなるので、そのような場合に長時間ランプ１７が点灯していると、ユーザーが眩しい思いをする。しかしながら、このような割り当てにより、人感センサー１５がユーザーを検知した場合に、原稿押さえカバー１０ａの開閉角度が大きいときの方が原稿押さえカバー１０ａの開閉角度が小さいときよりもランプ１７の点灯を遅らせることができる。これにより、原稿押さえカバー１０ａが大きく開いている場合に、ユーザーが長時間にわたってランプ光を受ける状況を回避できるので、ユーザーが眩しい思いをしなくてすむ。また、このような割り当てにより、原稿押さえカバー１０ａが大きく開いている場合でも、ユーザーが画像形成装置１００に近づけばランプ１７が点灯し、通常モードへと復帰するための初期化処理が自動的に開始されるため、節電モードから通常モードへの復帰に伴うユーザーの待機時間を短縮することができる。
【００７５】
図１１は、実施の形態３におけるランプの点灯処理を説明するフローチャートである。図１１に示す処理はＣＰＵ１８ａにより実行される。図１１に示す処理のうちＳ７１以外の処理は、図７に示すＳ６０〜Ｓ６４の処理と同様のため、説明を省略する。
【００７６】
ＣＰＵ１８ａは、Ｓ７１の処理を、図７に示すＳ６０の処理とＳ６１の処理との間に行う。Ｓ７１では、ＣＰＵ１８ａは、設定されている画像形成装置の高さから、該当のランプ点灯制御テーブルを選択する。設定されている画像形成装置の高さとは、ユーザーによって画像形成装置１００に予め設定される、画像形成装置の高さであり、ユーザーは、画像形成装置の高さを操作パネル１１ａから設定する。たとえば、ユーザーが画像形成装置の高さを９０センチメートルと設定していた場合には、ＣＰＵ１８ａは、図１０（ｂ）に示すランプ点灯制御テーブル３を選択する。
【００７７】
ＣＰＵ１８ａがＳ７０〜Ｓ７５の処理を実行することにより、図８や図９に示すような、人感センサー１５がユーザーを検知した場合に、原稿押さえカバー１０ａの開閉角度、ユーザーと画像形成装置１００との離間距離、および画像形成装置の高さに応じてランプを点灯させ、節電モードから通常モードに復帰するための初期化処理を開始する制御が可能となる。
【００７８】
なお、ＣＰＵ１８ａは、Ｓ７２の処理後、Ｓ７３の処理を行わずにＳ７４に移行してもよい。Ｓ７４においてＹＥＳの場合には、ＣＰＵ１８ａは、ランプ１７を点灯させ、Ｓ７４においてＮＯの場合には、ＣＰＵ１８ａは、ランプ１７を点灯させることなく処理を終了する。このような処理により、ユーザーと画像形成装置１００との離間距離に関わらず、原稿押さえカバー１０ａの開閉角度と画像形成装置の高さに応じてランプを点灯させる制御が可能となる。
【００７９】
［実施の形態４］
次に、実施の形態４を説明する。実施の形態４は、実施の形態２の変形例である。画像形成装置１００の構成を含めて、実施の形態４は実施の形態２と共通している。実施の形態２では、人感センサー１５がユーザーを検知した場合に、原稿押さえカバー１０ａの開閉角度およびユーザーと画像形成装置１００との離間距離に応じてランプ１７を点灯させ、節電モードから通常モードに復帰するための初期化処理を開始した。実施の形態４においても、人感センサー１５がユーザーを検知した場合に、原稿押さえカバー１０ａの開閉角度およびユーザーと画像形成装置１００との離間距離に応じてランプ１７を点灯させ、節電モードから通常モードに復帰するための初期化処理を開始するのだが、ランプ１７を点灯させる条件とする原稿押さえカバー１０ａの開閉角度やユーザーと画像形成装置１００との離間距離をユーザーの身長に応じて設定する。つまり、実施の形態４では、人感センサー１５がユーザーを検知した場合に、原稿押さえカバー１０ａの開閉角度、ユーザーと画像形成装置１００との離間距離、およびユーザーの身長に応じてランプを点灯させ、節電モードから通常モードに復帰するための初期化処理を開始する。ここで、ユーザーの身長とは、画像形成装置１００を使用するユーザーの身長を指し、画像形成装置１００を使用するユーザーが複数名の場合には、そのユーザーの平均身長でもよい。以下、画像形成装置１００を使用するユーザーの身長を「ユーザーの身長」と称す。
【００８０】
図１２と図１３は、実施の形態４におけるランプの点灯制御の概要を示す図である。図１２は、ランプ１７を点灯させる条件とするユーザーと画像形成装置１００との離間距離を、ユーザーの身長によって設定可能であることを示し、図１３は、ランプ１７を点灯させる条件とする原稿押さえカバー１０ａの開閉角度のしきい値を、ユーザーの身長によって設定可能であることを示している。
【００８１】
図１２は、ユーザーであるＫ氏が画像形成装置１００に向かって歩いているところを示す。地点Ｐは人感センサー１５がＫ氏を検知し始めた地点を、地点ＱはＫ氏の現在地を示す。図１２が示すように、地点Ｑと画像形成装置１００との離間距離は、９０センチメートルである。また、図１２が示すように、原稿押さえカバー１０ａの開閉角度ｘは、１２度より大きく１６度以下である。図１２（ａ）が示すように、ユーザーの身長が１６０センチメートルであるときには、ユーザーと画像形成装置１００との離間距離が７０センチメートル以下になるとランプ１７が点灯する。一方、図１２（ｂ）が示すように、ユーザーの身長が１７０センチメートルであるときには、ユーザーと画像形成装置１００との離間距離が８０センチメートル以下になるとランプ１７が点灯する。
【００８２】
図１２（ａ），図１２（ｂ）が示すように、実施の形態４においては、人感センサー１５がユーザーを検知した場合に、ユーザーの身長が低いときの方がユーザーの身長が高いときよりもユーザーが画像形成装置１００に近づくまでランプ１７が点灯しない。一般に、ユーザーの身長が低い場合には、ユーザーの目にランプ光が入りやすくなるので、そのような場合に長時間ランプ１７が点灯していると、ユーザーが眩しい思いをする。しかしながら、実施の形態４のような制御により、人感センサー１５がユーザーを検知した場合に、ユーザーの身長が低いときの方がユーザーの身長が高いときよりもランプ１７の点灯を遅らせることができる。これにより、ユーザーの身長が低い場合に、ユーザーが長時間にわたってランプ光を受ける状況を回避できるので、ユーザーが眩しい思いをしなくてすむ。また、このような制御により、人感センサー１５がユーザーを検知した場合に、ユーザーの身長が低くても、ユーザーが画像形成装置１００に近づけばランプ１７が点灯し、通常モードへと復帰するための初期化処理が自動的に開始されるため、節電モードから通常モードへの復帰に伴うユーザーの待機時間を短縮することができる。
【００８３】
図１３は、ユーザーであるＫ氏が画像形成装置１００に向かって歩いているところを示す。地点Ｐは人感センサー１５がＫ氏を検知し始めた地点を、地点ＱはＫ氏の現在地を示す。図１３が示すように、地点Ｑと画像形成装置１００との離間距離は、７０センチメートルである。また、図１３（ａ）に示される「１６度」と図１３（ｂ）に示される「２０度」は、ランプ１７を点灯させるか否かを決定するために用いる原稿押さえカバー１０ａの開閉角度のしきい値である。図１３（ａ）が示すように、ユーザーの身長が１６０センチメートルであるときに、ランプ１７が点灯するのは、原稿押さえカバー１０ａの開閉角度が１６度以下の場合である。一方、図１３（ｂ）が示すように、ユーザーの身長が１７０センチメートルの場合にランプ１７が点灯するのは、原稿押さえカバー１０ａの開閉角度が２０度以下の場合である。なお、しきい値となる角度は１６度または２０度に限定されるものではない。しきい値は、たとえば、ユーザーの目にランプ１７の光が直接に入らないものであれば、どのような角度に設定してもよい。
【００８４】
図１３（ａ），図１３（ｂ）が示すように、実施の形態４においては、ユーザーの身長が低いときの方がユーザーの身長が高いときよりも、人感センサー１５がユーザーを検知した場合にランプ１７を点灯させるか否かを決定するために用いる原稿押さえカバー１０ａの開閉角度のしきい値が小さい。一般に、ユーザーの身長が低い場合には、ユーザーの目にランプ光が入りやすくなるので、そのような場合に原稿押さえカバー１０ａが大きく開いていると、ユーザーが眩しい思いをする。しかしながら、実施の形態４のような制御により、ユーザーの身長が低い場合にランプ１７を点灯させても、原稿押さえカバー１０ａの開閉角度が小さいので、ユーザーが眩しい思いをしなくてすむ。また、このような制御により、ユーザーの身長が低い場合でも、原稿押さえカバー１０ａの開閉角度が小さければランプ１７が点灯し、通常モードへと復帰するための初期化処理が自動的に開始されるため、節電モードから通常モードへの復帰に伴うユーザーの待機時間を短縮することができる。
【００８５】
図１４は、実施の形態４におけるランプ点灯制御テーブルを示す図である。図１４（ａ）は、ユーザーの身長が１６５センチメートル未満の場合に用いられるランプ点灯制御テーブル４を示し、図１４（ｂ）は、ユーザーの身長が１６５センチメートル以上の場合に用いられるランプ点灯制御テーブル５を示す。これらのテーブルはＲＯＭ１８ｂに格納される。これらのテーブルには、原稿押さえカバー１０ａの開閉角度およびユーザーと画像形成装置１００との離間距離に応じて、ランプ１７の「点灯」または「消灯」が割り当てられている。開閉角度と離間距離との関係が、これらのテーブルの「点灯」に対応する場合にはランプ１７が点灯し、「消灯」に対応する場合にはランプ１７が点灯しない。図１２や図１３に示したランプの点灯制御は、ＣＰＵ１８ａによるランプの点灯処理（図１５）において、これらのテーブルが参照されることで実現される。
【００８６】
ランプ点灯制御テーブル４では、ユーザーと画像形成装置１００との離間距離が５０センチメートル以下においては、原稿押さえカバー１０ａの開閉角度に関わらず「点灯」が割り当てられている。一方、ユーザーと画像形成装置１００との離間距離が５０センチメートルを超えている場合には、原稿押さえカバー１０ａの開閉角度およびユーザーと画像形成装置１００との離間距離に応じて「点灯」が割り当てられている。具体的には、開閉角度が４度以下の場合には、離間距離が１００センチメートル以下の場合に、開閉角度が８度以下の場合には、離間距離が９０センチメートル以下の場合に、開閉角度が１２度以下の場合には、離間距離が８０センチメートル以下の場合に、開閉角度が１６度以下の場合には、離間距離が７０センチメートル以下の場合に、開閉角度が２０度以下の場合には、離間距離が６０センチメートル以下の場合に、「点灯」が割り当てられている。
【００８７】
ランプ点灯制御テーブル５では、ユーザーと画像形成装置１００との離間距離が６０センチメートル以下においては、原稿押さえカバー１０ａの開閉角度に関わらず「点灯」が割り当てられている。一方、ユーザーと画像形成装置１００との離間距離が６０センチメートルを超えている場合には、原稿押さえカバー１０ａの開閉角度およびユーザーと画像形成装置１００との離間距離に応じて「点灯」が割り当てられている。具体的には、開閉角度が８度以下の場合には、離間距離が１００センチメートル以下の場合に、開閉角度が１２度以下の場合には、離間距離が９０センチメートル以下の場合に、開閉角度が１６度以下の場合には、離間距離が８０センチメートル以下の場合に、開閉角度が２０度以下の場合には、離間距離が７０センチメートル以下の場合に、「点灯」が割り当てられている。
【００８８】
このようなランプ点灯制御テーブル４とランプ点灯制御テーブル５による割り当てにより、人感センサー１５がユーザーを検知した場合に、ユーザーの身長が低いときの方がユーザーの身長が高いときよりもユーザーが画像形成装置１００に近づくまでランプ１７が点灯しない。一般に、ユーザーの身長が低い場合には、ユーザーの目にランプ光が入りやすくなるので、そのような場合に長時間ランプ１７が点灯していると、ユーザーが眩しい思いをする。しかしながら、このような割り当てにより、人感センサー１５がユーザーを検知した場合に、ユーザーの身長が低いときの方がユーザーの身長が高いときよりもランプ１７の点灯を遅らせることができる。これにより、ユーザーの身長が低い場合に、ユーザーが長時間にわたってランプ光を受ける状況を回避できるので、ユーザーが眩しい思いをしなくてすむ。また、このような制御により、人感センサー１５がユーザーを検知した場合に、ユーザーの身長が低くても、ユーザーが画像形成装置１００に近づけばランプ１７が点灯し、通常モードへと復帰するための初期化処理が自動的に開始されるため、節電モードから通常モードへの復帰に伴うユーザーの待機時間を短縮することができる。
【００８９】
また、このようなランプ点灯制御テーブル４とランプ点灯制御テーブル５による割り当てにより、ユーザーの身長が低いときの方がユーザーの身長が高いときよりも、人感センサー１５がユーザーを検知した場合にランプ１７を点灯させるか否かを決定するために用いる原稿押さえカバー１０ａの開閉角度のしきい値が小さい。一般に、ユーザーの身長が低い場合には、ユーザーの目にランプ光が入りやすくなるので、そのような場合に原稿押さえカバー１０ａが大きく開いていると、ユーザーが眩しい思いをする。しかしながら、このような割り当てにより、ユーザーの身長が低い場合にランプ１７を点灯させても、原稿押さえカバー１０ａの開閉角度が小さいので、ユーザーが眩しい思いをしなくてすむ。また、このような制御により、ユーザーの身長が低い場合でも、原稿押さえカバー１０ａの開閉角度が小さければランプ１７が点灯し、通常モードへと復帰するための初期化処理が自動的に開始されるため、節電モードから通常モードへの復帰に伴うユーザーの待機時間を短縮することができる。
【００９０】
また、このようなランプ点灯制御テーブル４とランプ点灯制御テーブル５による割り当てにより、人感センサー１５がユーザーを検知した場合に、ユーザーと画像形成装置１００との離間距離が一定の距離以下（たとえば、図１４（ａ）では５０センチメートル以下、図１４（ｂ）では６０センチメートル以下）になると、原稿押さえカバー１０ａの開閉角度に関わらずランプ１７が点灯し、通常モードへと復帰するための初期化処理が自動的に開始されるため、節電モードから通常モードへの復帰に伴うユーザーの待機時間を短縮することができる。
【００９１】
また、このようなランプ点灯制御テーブル４とランプ点灯制御テーブル５による割り当てにより、人感センサー１５がユーザーを検知した場合に、原稿押さえカバー１０ａの開閉角度が大きいときの方が原稿押さえカバー１０ａの開閉角度が小さいときよりもユーザーが画像形成装置１００に近づくまでランプ１７が点灯しない。一般に、原稿押さえカバー１０ａが大きく開いている場合には、ユーザーの目にランプ光が入りやすくなるので、そのような場合に長時間ランプ１７が点灯していると、ユーザーが眩しい思いをする。しかしながら、このような割り当てにより、人感センサー１５がユーザーを検知した場合に、原稿押さえカバー１０ａの開閉角度が大きいときの方が原稿押さえカバー１０ａの開閉角度が小さいときよりもランプ１７の点灯を遅らせることができる。これにより、原稿押さえカバー１０ａが大きく開いている場合に、ユーザーが長時間にわたってランプ光を受ける状況を回避できるので、ユーザーが眩しい思いをしなくてすむ。また、このような割り当てにより、原稿押さえカバー１０ａが大きく開いている場合でも、ユーザーが画像形成装置１００に近づけばランプ１７が点灯し、通常モードへと復帰するための初期化処理が自動的に開始されるため、節電モードから通常モードへの復帰に伴うユーザーの待機時間を短縮することができる。
【００９２】
図１５は、実施の形態４におけるランプの点灯処理を説明するフローチャートである。図１５に示す処理はＣＰＵ１８ａにより実行される。図１５に示す処理のうちＳ８１以外の処理は、図７に示すＳ６０〜Ｓ６４の処理と同様のため、説明を省略する。
【００９３】
ＣＰＵ１８ａは、Ｓ８１の処理を、図７に示すＳ６０の処理とＳ６１の処理との間に行う。Ｓ８１では、ＣＰＵ１８ａは、設定されているユーザーの身長から、該当のランプ点灯制御テーブルを選択する。設定されているユーザーの身長とは、ユーザーによって操作パネル１１ａから予め設定されるユーザーの身長である。たとえば、ユーザーがユーザーの身長を１７０センチメートルと設定していた場合には、ＣＰＵ１８ａは、図１４（ｂ）に示すランプ点灯制御テーブル５を選択する。
【００９４】
ＣＰＵ１８ａがＳ８０〜Ｓ８５の処理を実行することにより、図１２や図１３に示すような、人感センサー１５がユーザーを検知した場合に、原稿押さえカバー１０ａの開閉角度、ユーザーと画像形成装置１００との離間距離、およびユーザーの身長に応じてランプを点灯させ、節電モードから通常モードに復帰するための初期化処理を開始する制御が可能となる。
【００９５】
なお、ＣＰＵ１８ａは、Ｓ８２の処理後、Ｓ８３の処理を行わずにＳ８４に移行してもよい。Ｓ８４においてＹＥＳの場合には、ＣＰＵ１８ａは、ランプ１７を点灯させ、Ｓ８４においてＮＯの場合には、ＣＰＵ１８ａは、ランプ１７を点灯させることなく処理を終了する。このような処理により、ユーザーと画像形成装置１００との離間距離に関わらず、原稿押さえカバー１０ａの開閉角度とユーザーの身長に応じてランプを点灯させる制御が可能となる。
【００９６】
［実施の形態５］
次に、実施の形態５を説明する。実施の形態５は、人感センサー１５がユーザーを検知したときのランプ１７の点灯制御が実施の形態１と異なる。その他の点では、画像形成装置１００の構成を含めて、実施の形態５は実施の形態１と共通している。実施の形態１では、人感センサー１５がユーザーを検知したときの原稿押さえカバー１０ａの開閉角度が所定角度以下であることを条件としてランプ１７を点灯させ、節電モードから通常モードに復帰するための初期化処理を開始した。これに対して、実施の形態５では、人感センサー１５がユーザーを検知した場合に、原稿押さえカバー１０ａの開閉角度に応じた所定時間が経過した後にランプ１７を点灯させ、節電モードから通常モードに復帰するための初期化処理を開始する。
【００９７】
図１６は、実施の形態５におけるランプの点灯制御の概要を示す図である。図１６は、ユーザーであるＫ氏が画像形成装置１００に向かって歩いているところを示す。地点Ｑは人感センサー１５がＫ氏を検知した地点を示す。また、図１６（ａ）に示される「２．０秒後に点灯」は、人感センサー１５がユーザーを検知してから２．０秒後にランプ１７が点灯することを示し、図１６（ｂ）に示される「２．５秒後に点灯」は、人感センサー１５がユーザーを検知してから２．５秒後にランプ１７が点灯することを示す。図１６（ａ）が示すように、原稿押さえカバー１０ａの開閉角度ｘが１２度より大きく１６度以下であるときには、人感センサー１５がユーザーを検知してから２．０秒後にランプ１７が点灯する。一方、図１６（ｂ）が示すように、原稿押さえカバー１０ａの開閉角度ｘが１６度より大きく２０度以下であるときには、人感センサー１５がユーザーを検知してから２．５秒後にランプ１７が点灯する。なお、人感センサー１５がユーザーを検知してからランプ１７が点灯するまでの時間は、ユーザーと画像形成装置１００との離間距離およびユーザーの歩く速さによって設定されればよく、２．０秒や２．５秒に限定されるものではない。
【００９８】
図１６（ａ），図１６（ｂ）が示すように、実施の形態５においては、人感センサー１５がユーザーを検知した場合に、原稿押さえカバー１０ａの開閉角度が大きいときの方が原稿押さえカバー１０ａの開閉角度が小さいときよりも、人感センサー１５がユーザーを検知してからランプ１７が点灯するまでの時間が長い。一般に、原稿押さえカバー１０ａが大きく開いている場合には、ユーザーの目にランプ光が入りやすくなるので、そのような場合に長時間ランプ１７が点灯していると、ユーザーが眩しい思いをする。しかしながら、実施の形態５のような制御により、人感センサー１５がユーザーを検知した場合に、原稿押さえカバー１０ａの開閉角度が大きいときの方が原稿押さえカバー１０ａの開閉角度が小さいときよりもランプ１７の点灯を遅らせることができる。これにより、原稿押さえカバー１０ａが大きく開いている場合に、ユーザーが長時間にわたってランプ光を受ける状況を回避できるので、ユーザーが眩しい思いをしなくてすむ。また、このような制御により、原稿押さえカバー１０ａが大きく開いている場合でも、所定時間が経過すればランプ１７が点灯し、通常モードへと復帰するための初期化処理が自動的に開始されるため、節電モードから通常モードへの復帰に伴うユーザーの待機時間を短縮することができる。
【００９９】
図１７は、実施の形態５におけるランプ点灯制御テーブル６を示す図である。ランプ点灯制御テーブル６はＲＯＭ１８ｂに格納される。ランプ点灯制御テーブル６には、原稿押さえカバー１０ａの開閉角度に応じて、「時間」が割り当てられている。「時間」は、人感センサー１５がユーザーを検知してからランプ１７が点灯するまでの時間を示す。図１６に示したランプの点灯制御は、ＣＰＵ１８ａによるランプの点灯処理（図１８）において、ランプ点灯制御テーブル６が参照されることで実現される。
【０１００】
ランプ点灯制御テーブル６では、開閉角度が大きいほど、長い時間が割り当てられている。このような割り当てにより、人感センサー１５がユーザーを検知した場合に、原稿押さえカバー１０ａの開閉角度が大きいときの方が原稿押さえカバー１０ａの開閉角度が小さいときよりも、人感センサー１５がユーザーを検知してからランプ１７が点灯するまでの時間が長い。一般に、原稿押さえカバー１０ａが大きく開いている場合には、ユーザーの目にランプ光が入りやすくなるので、そのような場合に長時間ランプ１７が点灯していると、ユーザーが眩しい思いをする。しかしながら、このような割り当てにより、人感センサー１５がユーザーを検知した場合に、原稿押さえカバー１０ａの開閉角度が大きいときの方が原稿押さえカバー１０ａの開閉角度が小さいときよりもランプ１７の点灯を遅らせることができる。これにより、原稿押さえカバー１０ａが大きく開いている場合に、ユーザーが長時間にわたってランプ光を受ける状況を回避できるので、ユーザーが眩しい思いをしなくてすむ。また、このような制御により、原稿押さえカバー１０ａが大きく開いている場合でも、所定時間が経過すればランプ１７が点灯し、通常モードへと復帰するための初期化処理が自動的に開始されるため、節電モードから通常モードへの復帰に伴うユーザーの待機時間を短縮することができる。
【０１０１】
図１８は、実施の形態５におけるランプの点灯処理を説明するフローチャートである。図１８に示す処理はＣＰＵ１８ａにより実行される。
【０１０２】
まず、ＣＰＵ１８ａは、人感センサー１５がユーザーを検知したか否かを判定する（Ｓ９０）。ＣＰＵ１８ａは、Ｓ９０の判定処理を、人感センサー１５がユーザーを検知したと判定するまで一定の間隔で繰り返し、人感センサー１５がユーザーを検知したと判定した場合には（Ｓ９０でＹＥＳ）、Ｓ９１へ処理を進める。Ｓ９１では、ＣＰＵ１８ａは、開閉センサー１６ａ，１６ｂ，１６ｃが検出した原稿押さえカバー１０ａの開閉角度を取得する。なお、Ｓ９０とＳ９１の処理は、図４に示すＳ５０とＳ５１の処理と同様である。
【０１０３】
次いで、ＣＰＵ１８ａは、ランプ点灯制御テーブルにおいて設定されている時間をタイマーに設定する（Ｓ９２）。たとえば、Ｓ９１で取得した原稿押さえカバー１０ａの開閉角度が１２度より大きく１６度以下の場合であれば、ＣＰＵ１８ａは、タイマーに２．０秒と設定する。
【０１０４】
次いで、ＣＰＵ１８ａは、設定した時間が経過したか否かを判定する（Ｓ９３）。設定した時間が経過した場合には（Ｓ９３でＹＥＳ）、ＣＰＵ１８ａは、ランプ１７を点灯させて（Ｓ９４）、処理を終了する。一方、設定した時間がまだ経過していない場合には（Ｓ９３でＮＯ）、ＣＰＵ１８ａは、設定した時間が経過するまでＳ９３の処理を繰返す。たとえば、Ｓ９２でタイマーに設定した２．０秒がまだ経過していない場合には、ＣＰＵ１８ａは、ランプ１７を点灯させることなく、２．０秒が経過したか否かの判定を繰り返し、２．０秒が経過したと判定した場合には、ランプ１７を点灯させ、処理を終了する。
【０１０５】
ＣＰＵ１８ａがＳ９０〜Ｓ９４の処理を実行することにより、図１６に示すような、人感センサー１５がユーザーを検知した場合に、原稿押さえカバー１０ａの開閉角度に応じた所定時間が経過した後にランプ１７を点灯させ、節電モードから通常モードに復帰するための初期化処理を開始する制御が可能となる。
【０１０６】
［実施の形態６］
次に、実施の形態６を説明する。実施の形態６は、人感センサー１５がユーザーを検知したときのランプ１７の点灯制御が実施の形態１と異なる。また、実施の形態１における人感センサー１５は、画像形成装置１００に向かってくるユーザーを検知するにすぎなかったのに対し、実施の形態６における人感センサー１５は、高さ方向に分割された複数の検知エリア別にユーザーの顔を検知可能である点で、実施の形態６は実施の形態１と異なる。その他の点では、画像形成装置１００の構成を含めて、実施の形態６は実施の形態１と共通している。実施の形態１では、人感センサー１５がユーザーを検知したときの原稿押さえカバー１０ａの開閉角度が所定角度以下であることを条件としてランプ１７を点灯させ、節電モードから通常モードに復帰するための初期化処理を開始した。これに対して、実施の形態６では、人感センサー１５がユーザーを検知したときの原稿押さえカバー１０ａの開閉角度が、ユーザーの顔が検知されたエリアに対応して定めた角度以下であれば、ランプ１７を点灯させ、節電モードから通常モードに復帰するための初期化処理を開始する。
【０１０７】
図１９は、実施の形態６におけるランプの点灯制御の概要を示す図である。図１９は、ユーザーであるＫ氏が画像形成装置１００に向かって歩いているところを示す。地点Ｐは人感センサー１５がＫ氏を検知し始めた地点を、地点Ｑ，地点ＲはＫ氏の現在地を示す。また、図１９に示される「エリア１」，「エリア２」，「エリア３」は、人感センサー１５がユーザーの顔を検知可能なエリアであり、高さ方向に分割されている。エリア１は最も上方、かつ画像形成装置１００に最も近いエリアであり、エリア３は最も下方、かつ画像形成装置１００に最も遠いエリアであり、エリア２はエリア１とエリア３の間のエリアである。また、図１９に示される「点灯」は、そのエリアでユーザーの顔が検知された場合にランプ１７が点灯することを示し、図１９に示される「消灯」は、そのエリアでユーザーの顔が検知された場合でもランプ１７が点灯しないことを示す。図１９（ａ）が示すように、原稿押さえカバー１０ａの開閉角度ｘが１２度より大きく１６度以下であるときには、人感センサー１５によりＫ氏の顔がエリア１またはエリア２において検知された場合にランプ１７が点灯する。図１９（ａ）では、現在、Ｋ氏の顔がエリア３で検知されているためランプ１７は点灯せず、Ｋ氏が画像形成装置１００に近づいていき、Ｋ氏の顔がエリア１またはエリア２において検知された場合にランプ１７が点灯する。一方、図１９（ｂ）が示すように、原稿押さえカバー１０ａの開閉角度ｘが１６度より大きく２０度以下であるときには、人感センサー１５によりＫ氏の顔がエリア１において検知された場合にランプ１７が点灯する。図１９（ｂ）では、現在、Ｋ氏の顔がエリア２で検知されているためランプ１７は点灯せず、Ｋ氏が画像形成装置１００に近づいていき、Ｋ氏の顔がエリア１において検知された場合にランプ１７が点灯する。なお、人感センサー１５がユーザーの顔を検知可能なエリアは、ユーザーと画像形成装置１００との離間距離を判別できるものであればよく、「エリア１」，「エリア２」，「エリア３」の３つに限定されるものではない。
【０１０８】
図１９（ａ），図１９（ｂ）が示すように、実施の形態６においては、人感センサー１５がユーザーの顔を検知した場合に、原稿押さえカバー１０ａの開閉角度が大きいときの方が原稿押さえカバー１０ａの開閉角度が小さいときよりも、ユーザーの顔が画像形成装置１００に近いエリアで検知されるまでランプ１７が点灯しない。一般に、原稿押さえカバー１０ａが大きく開いている場合には、ユーザーの目にランプ光が入りやすくなるので、そのような場合に長時間ランプ１７が点灯していると、ユーザーが眩しい思いをする。しかしながら、実施の形態６のような制御により、人感センサー１５がユーザーの顔を検知した場合に、原稿押さえカバー１０ａの開閉角度が大きいときの方が原稿押さえカバー１０ａの開閉角度が小さいときよりもランプ１７の点灯を遅らせることができる。これにより、原稿押さえカバー１０ａが大きく開いている場合に、ユーザーが長時間にわたってランプ光を受ける状況を回避できるので、ユーザーが眩しい思いをしなくてすむ。また、このような制御により、原稿押さえカバー１０ａが大きく開いている場合でも、ユーザーが画像形成装置１００に近づけばランプ１７が点灯し、通常モードへと復帰するための初期化処理が自動的に開始されるため、節電モードから通常モードへの復帰に伴うユーザーの待機時間を短縮することができる。
【０１０９】
図２０は、実施の形態６におけるランプ点灯制御テーブル７を示す図である。ランプ点灯制御テーブル７はＲＯＭ１８ｂに格納される。ランプ点灯制御テーブル７には、原稿押さえカバー１０ａの開閉角度およびユーザーの顔を検知するエリアに応じて、ランプ１７の「点灯」または「消灯」が割り当てられている。開閉角度とユーザーの顔を検知するエリアとの関係が、ランプ点灯制御テーブル７の「点灯」に対応する場合にはランプ１７が点灯し、「消灯」に対応する場合にはランプ１７が点灯しない。図１９に示したランプの点灯制御は、ＣＰＵ１８ａによるランプの点灯処理（図２１）において、ランプ点灯制御テーブル７が参照されることで実現される。
【０１１０】
ランプ点灯制御テーブル７では、エリア１においては、開閉角度が２０度以下の場合に、エリア２においては、開閉角度が１６度以下の場合に、エリア３においては、開閉角度が１２度以下の場合に、「点灯」が割り当てられている。このような割り当てにより、人感センサー１５がユーザーの顔を検知した場合に、原稿押さえカバー１０ａの開閉角度が大きいときの方が原稿押さえカバー１０ａの開閉角度が小さいときよりも、ユーザーの顔が画像形成装置１００に近いエリアで検知されるまでランプ１７が点灯しない。一般に、原稿押さえカバー１０ａが大きく開いている場合には、ユーザーの目にランプ光が入りやすくなるので、そのような場合に長時間ランプ１７が点灯していると、ユーザーが眩しい思いをする。しかしながら、このような割り当てにより、人感センサー１５がユーザーの顔を検知した場合に、原稿押さえカバー１０ａの開閉角度が大きいときの方が原稿押さえカバー１０ａの開閉角度が小さいときよりもランプ１７の点灯を遅らせることができる。これにより、原稿押さえカバー１０ａが大きく開いている場合に、ユーザーが長時間にわたってランプ光を受ける状況を回避できるので、ユーザーが眩しい思いをしなくてすむ。また、このような制御により、原稿押さえカバー１０ａが大きく開いている場合でも、ユーザーが画像形成装置１００に近づけばランプ１７が点灯し、通常モードへと復帰するための初期化処理が自動的に開始されるため、節電モードから通常モードへの復帰に伴うユーザーの待機時間を短縮することができる。
【０１１１】
図２１は、実施の形態６におけるランプの点灯処理を説明するフローチャートである。図２１に示す処理はＣＰＵ１８ａにより実行される。
【０１１２】
まず、ＣＰＵ１８ａは、人感センサー１５がユーザーを検知したか否かを判定する（Ｓ１００）。ＣＰＵ１８ａは、Ｓ１００の判定処理を、人感センサー１５がユーザーを検知したと判定するまで一定の間隔で繰り返し、人感センサー１５がユーザーを検知したと判定した場合には（Ｓ１００でＹＥＳ）、Ｓ１０１へ処理を進める。Ｓ１０１では、ＣＰＵ１８ａは、開閉センサー１６ａ，１６ｂ，１６ｃが検出した原稿押さえカバー１０ａの開閉角度を取得する。なお、Ｓ１００とＳ１０１の処理は、図４に示すＳ５０とＳ５１の処理と同様である。
【０１１３】
次いで、ＣＰＵ１８ａは、ランプ点灯制御テーブルを参照して、取得した原稿押さえカバー１０ａの開閉角度からランプを点灯させるエリアを選択する（Ｓ１０２）。たとえば、Ｓ１０１で取得した原稿押さえカバー１０ａの開閉角度が１５度であれば、ＣＰＵ１８ａは、エリア１とエリア２を選択する。
【０１１４】
次いで、ＣＰＵ１８ａは、選択したエリアでユーザーの顔を検知したか否かを判定する（Ｓ１０３）。選択したエリアでユーザーの顔を検知した場合には（Ｓ１０３でＹＥＳ）、ＣＰＵ１８ａは、ランプ１７を点灯させて（Ｓ１０４）、処理を終了する。一方、選択したエリアでユーザーの顔を検知していない場合には（Ｓ１０３でＮＯ）、ＣＰＵ１８ａは、選択したエリアでユーザーの顔を検知するまでＳ１０３の処理を繰返す。たとえば、ＣＰＵ１８ａは、Ｓ１０２で選択したエリア１またはエリア２においてユーザーの顔を検知していない場合には、ランプ１７を点灯させることなく、エリア１またはエリア２においてユーザーの顔を検知したか否かの判定を繰り返し、エリア１またはエリア２においてユーザーの顔を検知したと判定した場合には、ランプ１７を点灯させ、処理を終了する。
【０１１５】
ＣＰＵ１８ａがＳ１００〜Ｓ１０４の処理を実行することにより、図１９に示すような、人感センサー１５がユーザーを検知したときの原稿押さえカバー１０ａの開閉角度が、ユーザーの顔が検知されたエリアに対応して定めた角度以下であれば、ランプ１７を点灯させ、節電モードから通常モードに復帰するための初期化処理を開始する制御が可能となる。
【０１１６】
［実施の形態７］
次に、実施の形態７を説明する。実施の形態７は、人感センサー１５がユーザーを検知したときのランプ１７の点灯制御が実施の形態１と異なる。その他の点では、画像形成装置１００の構成を含めて、実施の形態７は実施の形態１と共通している。実施の形態１では、人感センサー１５がユーザーを検知したときの原稿押さえカバー１０ａの開閉角度が所定角度以下であることを条件としてランプ１７を点灯させ、節電モードから通常モードに復帰するための初期化処理を開始した。これに対して、実施の形態７では、人感センサー１５がユーザーを検知したときの原稿押さえカバー１０ａの開閉角度が所定角度以下の場合、または、所定角度を超えている場合であっても載置面２０に原稿が置かれている場合であれば、ランプ１７を点灯させ、節電モードから通常モードに復帰するための初期化処理を開始する。
【０１１７】
図２２は、実施の形態７におけるランプの点灯処理を説明するフローチャートである。図２２に示す処理はＣＰＵ１８ａにより実行される。
【０１１８】
まず、ＣＰＵ１８ａは、人感センサー１５がユーザーを検知したか否かを判定する（Ｓ１１０）。ＣＰＵ１８ａは、Ｓ１１０の判定処理を、人感センサー１５がユーザーを検知したと判定するまで一定の間隔で繰り返し、人感センサー１５がユーザーを検知したと判定した場合には（Ｓ１１０でＹＥＳ）、Ｓ１１１へ処理を進める。Ｓ１１１では、ＣＰＵ１８ａは、開閉センサー１６ａ，１６ｂ，１６ｃが検出した原稿押さえカバー１０ａの開閉角度を取得する。なお、Ｓ１１０とＳ１１１の処理は、図４に示すＳ５０とＳ５１の処理と同様である。
【０１１９】
次いで、ＣＰＵ１８ａは、取得した原稿押さえカバー１０ａの開閉角度が所定角度以下であるか否かを判定する（Ｓ１１２）。ここで、所定角度とは、ランプ１７を点灯させるか否かを決定するために用いる原稿押さえカバー１０ａの開閉角度のしきい値となるものであり、ユーザーの目にランプ１７の光が直接に入らないものであれば、どのような角度に設定してもよい。取得した原稿押さえカバー１０ａの開閉角度が所定角度以下である場合には（Ｓ１１２でＹＥＳ）、ＣＰＵ１８ａは、ランプ１７を点灯させて（Ｓ１１３）、処理を終了する。一方、取得した原稿押さえカバー１０ａの開閉角度が所定角度以下でない場合には（Ｓ１１２でＮＯ）、ＣＰＵ１８ａは、Ｓ１１４へ移行する。
【０１２０】
Ｓ１１４では、ＣＰＵ１８ａは、載置面２０に原稿が置かれているか否かを判定する。原稿が置かれている場合には（Ｓ１１４でＹＥＳ）、ＣＰＵ１８ａは、ランプ１７を点灯させ（Ｓ１１３）、処理を終了する。一方、原稿が置かれていない場合には（Ｓ１１４でＮＯ）、ＣＰＵ１８ａは、ランプ１７を点灯させることなく処理を終了する。
【０１２１】
図２２が示すように、実施の形態７では、人感センサー１５がユーザーを検知したときの原稿押さえカバー１０ａの開閉角度が所定角度以下の場合（Ｓ１１２でＹＥＳ）に加え、所定角度を超えている場合であっても載置面２０に原稿が置かれている場合（Ｓ１１４でＹＥＳ）であれば、ランプ１７を点灯させ、節電モードから通常モードに復帰するための初期化処理を開始する。一般に、原稿押さえカバー１０ａが大きく開いている場合には、ユーザーの目にランプ光が入りやすくなる。しかしながら、実施の形態７のような制御により、人感センサー１５がユーザーを検知したときの原稿押さえカバー１０ａの開閉角度が所定角度を超えている場合にランプ１７を点灯させても、ランプ光が原稿によって遮られるので、ユーザーが眩しい思いをしなくてすむ。また、このような制御により、人感センサー１５がユーザーを検知したときの原稿押さえカバー１０ａの開閉角度が所定角度以下の場合、または、所定角度を超えている場合であっても載置面２０に原稿が置かれている場合であればランプ１７が点灯し、通常モードへと復帰するための初期化処理が自動的に開始されるため、節電モードから通常モードへの復帰に伴うユーザーの待機時間を短縮することができる。
【０１２２】
ＣＰＵ１８ａがＳ１１０〜Ｓ１１４の処理を実行することにより、人感センサー１５がユーザーを検知したときの原稿押さえカバー１０ａの開閉角度が所定角度以下の場合、または、所定角度を超えている場合であっても載置面２０に原稿が置かれている場合であれば、ランプ１７を点灯させ、節電モードから通常モードに復帰するための初期化処理を開始する制御が可能となる。
【０１２３】
［実施の形態８］
次に、実施の形態８を説明する。実施の形態８は、人感センサー１５がユーザーを検知したときのランプ１７の点灯制御が実施の形態１と異なる。その他の点では、画像形成装置１００の構成を含めて、実施の形態８は実施の形態１と共通している。実施の形態１では、人感センサー１５がユーザーを検知したときの原稿押さえカバー１０ａの開閉角度が所定角度以下であることを条件としてランプ１７を点灯させ、節電モードから通常モードに復帰するための初期化処理を開始した。これに対して、実施の形態８では、人感センサー１５がユーザーを検知したときの原稿押さえカバー１０ａの開閉角度が所定角度以下であることを条件としてランプ１７を点灯させる設定と、人感センサー１５がユーザーを検知したときの原稿押さえカバー１０ａの開閉角度に関わらずランプ１７の点灯を優先させる設定とを切り替えることができる。
【０１２４】
図２３は、実施の形態８におけるランプの点灯処理を説明するフローチャートである。図２３に示す処理はＣＰＵ１８ａにより実行される。
【０１２５】
まず、ＣＰＵ１８ａは、人感センサー１５がユーザーを検知したか否かを判定する（Ｓ１２０）。ＣＰＵ１８ａは、Ｓ１２０の判定処理を、人感センサー１５がユーザーを検知したと判定するまで一定の間隔で繰り返し、人感センサー１５がユーザーを検知したと判定した場合には（Ｓ１２０でＹＥＳ）、Ｓ１２１へ処理を進める。なお、Ｓ１２０の処理は、図４に示すＳ５０の処理と同様である。
【０１２６】
Ｓ１２１では、ＣＰＵ１８ａは、ランプ点灯優先の設定がなされているか否かを判定する。ランプ点灯優先の設定とは、ユーザーが操作パネル１１ａから行う。ランプ点灯優先の設定がなされていると判定した場合には（Ｓ１２１でＹＥＳ）、ＣＰＵ１８ａは、ランプ１７を点灯させて（Ｓ１２４）、処理を終了する。一方、ランプ点灯優先の設定がなされていないと判定した場合には（Ｓ１２１でＮＯ）、ＣＰＵ１８ａは、原稿押さえカバー１０ａの開閉角度を取得し、原稿押さえカバー１０ａの開閉角度が所定角度以下であれば、ランプ１７を点灯させ、原稿押さえカバー１０ａの開閉角度が所定角度を超えていれば、ランプ１７を点灯させることなく処理を終了する（Ｓ１２２〜Ｓ１２４）。なお、Ｓ１２２〜Ｓ１２４の処理は、図４のＳ５１〜Ｓ５３の処理と同様である。
【０１２７】
図２３が示すように、実施の形態８においては、ランプ点灯優先の設定がなされている場合（Ｓ１２１でＹＥＳ）には、人感センサー１５がユーザーを検知したときの原稿押さえカバー１０ａの開閉角度に関わらずランプ１７が点灯し、ランプ点灯優先の設定がなされていない場合（Ｓ１２１でＮＯ）には、実施の形態１のような、人感センサー１５がユーザーを検知したときの原稿押さえカバー１０ａの開閉角度が所定角度以下であればランプ１７が点灯する。このような制御により、画像形成装置１００のユーザーが、節電モードから通常モードへの復帰に伴うユーザーの待機時間を短縮することに重きを置く場合には、人感センサー１５がユーザーを検知したときの原稿押さえカバー１０ａの開閉角度に関わらずランプ１７を点灯させ、節電モードから通常モードへの復帰に伴うユーザーの待機時間を短縮することができる。一方、画像形成装置１００のユーザーが、眩しくないことに重きを置く場合には、人感センサー１５がユーザーを検知したときの原稿押さえカバー１０ａの開閉角度が所定角度を超えている場合にはランプ１７を点灯させないようにすることができるので、ユーザーが眩しい思いをしなくてすむ。
【０１２８】
ＣＰＵ１８ａがＳ１２０〜Ｓ１２４の処理を実行することにより、人感センサー１５がユーザーを検知したときの原稿押さえカバー１０ａの開閉角度が所定角度以下であることを条件としてランプ１７を点灯させる設定と、人感センサー１５がユーザーを検知したときの原稿押さえカバー１０ａの開閉角度に関わらずランプ１７の点灯を優先させる設定とを切り替える制御が可能となる。
【０１２９】
以上、各実施の形態を説明した。なお、上記実施の形態は任意に組み合わせてもよい。また、上記実施の形態において示した数値は一例であり、必ずしもその数値には限定されない。たとえば、人感センサー１５がユーザーを検知した場合にランプ１７を点灯させるか否かを決定するために用いる原稿押さえカバー１０ａの開閉角度は、ユーザーの目にランプ１７の光が直接に入らないものであればよく、上記実施の形態において示した数値に限定されるものではない。また、原稿押さえカバー１０ａの開閉角度は４度刻みで、ユーザーと画像形成装置１００との離間距離は１０センチメートル刻みで「点灯」と「消灯」を割り当てたが、より細かく割り当ててもよいし、そうでなくともよい。また、画像形成装置１００の高さは、９５センチメートル以上の場合と９５センチメートル未満の場合とに分けたが、９０センチメートル未満の場合と９０センチメートル以上９５センチメートル未満の場合と９５センチメートル以上の場合というように、より細かく分けてもよい。ユーザーの身長に関しても同様である。また、人感センサー１５がユーザーを検知してからランプ１７が点灯するまでの時間は、ユーザーと画像形成装置１００との離間距離およびユーザーの歩く速さによって設定されればよく、上記実施の形態において示した数値に限定されるものではない。また、ユーザーの顔を検知するエリアも、ユーザーと画像形成装置１００との離間距離を判別できるものであればよく、３つのエリアに限られない。
【０１３０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３１】
１００  画像形成装置、１０  スキャナー装置、１０ａ  原稿押さえカバー、１１ａ  操作パネル、１５  人感センサー、１６ａ，１６ｂ，１６ｃ  開閉センサー、１７  ランプ、１８ａ  ＣＰＵ、１８ｂ  ＲＯＭ、２０  載置面。
【図１】
2020005055.tif 000003
【図２】
2020005055.tif 000004
【図３】
2020005055.tif 000005
【図４】
2020005055.tif 000006
【図５】
2020005055.tif 000007
【図６】
2020005055.tif 000008
【図７】
2020005055.tif 000009
【図８】
2020005055.tif 000010
【図９】
2020005055.tif 000011
【図１０】
2020005055.tif 000012
【図１１】
2020005055.tif 000013
【図１２】
2020005055.tif 000014
【図１３】
2020005055.tif 000015
【図１４】
2020005055.tif 000016
【図１５】
2020005055.tif 000017
【図１６】
2020005055.tif 000018
【図１７】
2020005055.tif 000019
【図１８】
2020005055.tif 000020
【図１９】
2020005055.tif 000021
【図２０】
2020005055.tif 000022
【図２１】
2020005055.tif 000023
【図２２】
2020005055.tif 000024
【図２３】
2020005055.tif 000025